(57)【要約】　　　（修正有）【課題】利便性の高い画像仲介システムを提供する。【解決手段】複数のクライアントがサーバにアクセスして登録画面を呼び込み属性を入力する手段を一段階とし、前記クライアントＡがサーバにアクセスして画像撮影を依頼する画面を呼び込み入力送信する手段を第二段階とし、サーバが情報を受信してクライアントＢに送信する。【選択図】図１
2004054877.tif 000002
【特許請求の範囲】
【請求項１】
複数のクライアントとサーバがコンピューター通信ネットワークで接続された画像撮影仲介ビジネスにおいて、クライアント（撮影者側）が撮影した画像をサーバを介してクライアント（撮影依頼者）に送信する仲介システムであって、複数のクライアントがサーバにアクセスして登録画面を呼び込み属性を入力する手段を一段階とし、クライアントＡがサーバにアクセスして画像撮影を依頼する画面を呼び込み入力送信する手段を第二段階とし、サーバが情報を受信してクライアントＢに送信する手段を第三段階とし、クライアントＢが依頼要望画像を撮影してサーバに送信する手段を第四段階とし、サーバは送信された情報をクライアントＡに送信する手段を第五段階とすることを特徴とした画像仲介システム。
【請求項２】
請求項１において、クライアントＡからクライアントＢに支払う料金をサーバが演算して決済する事を特徴とした画像仲介システム。
【請求項３】
クライアントとクライアントがコンピューター通信ネットワークで接続された画像撮影流通システムにおいて、クライアント（撮影者側）が撮影した画像をクライアント（撮影依頼者）に送信するシステムであって、複数のクライアントが画像流通プログラムを備えたクライアントにアクセスして画像流通プログラムをダウンロードして格納する手段を第一段階とし、クライアントＡがクライアントＢにアクセスして画像撮影を依頼する画面を呼び込み入力送信する手段を第二段階とし、クライアントＢが依頼要望画像を撮影してサーバに送信する手段を第三段階とすることを特徴とした画像流通システム。
【請求項４】
請求項３において、アプリケション流通プログラムをダウンロードして画像撮影流通可能とする画面に広告を記載することを特徴とした画像流通システム。
【請求項５】
請求項１〜４においてクライアントＡが依頼する情報を各国言語にサーバが翻訳して提供可能とする画像仲介システム。
【発明の詳細な説明】
【０００１】
【発明の属する技術分野】本発明はコンピューター通信ネットワークを介した画像仲介システムに関する。
【０００２】
【従来の技術】携帯電話を活用した画像送信システムは携帯電話に装備されたカメラで撮影して送信するシステムが消費者に支持され携帯電話の普及に貢献している。
【０００３】しかしながら、このシステムはメイルアドレスを知る仲間内しか活用出来ず、撮影の送信を必要とする部外者は活用できない欠点があり利便性が悪い。
【０００４】
【発明が解決しようとする課題】よって、本発明はそれを解決する為に複数の消費者に会員登録を求めメイルアドレスを確保して撮影を依頼したいクライアントと撮影して画像を送信するクライアントを仲介する。
【０００５】
【課題を解決するための手段】複数のクライアントがサーバにアクセスして登録画面を呼び込み属性を入力する手段を一段階とし、クライアントＡがサーバにアクセスして画像撮影を依頼する画面を呼び込み入力送信する手段を第二段階とし、サーバが情報を受信してクライアントＢに送信する手段を第三段階とし、クライアントＢが依頼要望画像を撮影してサーバに送信する手段を第四段階とし、サーバは送信された情報をクライアントＡに送信する手段を第五段階とする手段。
【０００６】
【０００５】において、クライアントＡからクライアントＢに支払う料金をサーバが演算して決済する。
【０００７】複数のクライアントが画像流通プログラムを備えたクライアントにアクセスして画像流通プログラムをダウンロードして格納する手段を第一段階とし、クライアントＡがクライアントＢにアクセスして画像撮影を依頼する画面を呼び込み入力送信する手段を第二段階とし、クライアントＢが依頼要望画像を撮影してサーバに送信する手段を第三段階とする手段。
【０００８】
【０００７】において、アプリケション流通プログラムをダウンロードして画像撮影流通可能とする画面に広告を記載する
【０００９】
【発明の実施の形態】以下、図面を参照して本発明の実施形態を詳細に説明する。
【００１０】図１は本発明実施形態のシステム構成を示す。図１において、１は依頼者側が使用するクライアントＡであり、５は撮影者側が使用するクライアントＢであり、仲介者側のサーバ３と通信を行うためのプログラムが予めインストール（実装）されている。このプログラムは、ＷＷＷ（ＷｏｒｌｄＷｉｄｅＷｅｂ）と呼ばれる通信プロトコル、すなわち、インターネットなどの通信ネットワークで使用されている通信プロトコルで通信を行う。
【００１１】サーバ３はクライアントで表示するＨＴＭＬ文書および他の情報、本形態では、このＨＴＭＬ文書に名称（タグと呼ばれる）が記載されたリンク可能なファイル、たとえば、ＪＡＶＡプログラム、ＸＭＬプログラム、イメージ、音声、テキスト、プログラム等のファイルを内部のハードディスクのような記録装置に記憶している。サーバ３には本発明に係る情報データベースを記憶した記憶装置４が接続される。
【００１２】図１は本発明実施形態のシステム構成を示す。
【００１３】図２〜図４はクライアントの表示器に表示される表示の一例を示す。図５は３側の処理手順を示す。
【００１４】消費者は仲介者が運営するサーバにアクセスして図２の１０の会員登録画面を呼び込み２０のレコードに入力して３０ボタンを操作して送信する。（図５ステップＳ１０→Ｓ１４）。
【００１５】送信された情報はサーバが受信してデータベースアプリケーションに保存する。（図５ステップＳ１５）。
【００１６】依頼者（クライアントＡ）は仲介者が運営するサーバにアクセスして図３の４０の撮影依頼申込画面を呼び込み５０のレコードに入力して６０ボタンを操作して送信する。（図５ステップＳ１６→Ｓ２０）。
【００１７】送信を受けたサーバはデータベースアプリケーションから依頼者（クライアントＡ）の要望の情報をとメイルアドレスを抽出して撮影者側（クライアントＢ）に送信する。図５ステップＳ２１→Ｓ２２）。
【００１８】送信を受けた撮影者は（クライアントＢ）は要望に応じた撮影をして、図４の７０をサーバに送信する。図５ステップＳ２３）。
【００１９】サーバはその情報を撮影依頼者（クライアントＡ）に送信する。図５ステップＳ２４）。
【００２０】請求項２を説明する。
【００２１】請求項１において依頼者が撮影者に支払う費用に関してクレジット決済や通信会社（キャリア）の決済機能とを活用して行う。
【００２２】依頼者から依頼された撮影費用の支払画面を設けクレジット会社や通信会社（キャリア）にサーバが連帯して情報を送信して決済する。
【００２３】請求項３を説明する。
【００２４】請求項３ではサーバを介しないクライアントどうしに送受信可能なアプリケーションプログラムを構築してダウンロードさせ、そのアプリケーションに依頼情報や送信情報が入力できる画面を活用する。
【００２５】請求項４を説明する。
【００２６】請求項３において、やり取りする画像画面に広告情報等を記載する。
【００２７】請求項５を説明する。
【００２８】撮影依頼を世界のクライアントに依頼する時、依頼画面に入力する情報をサーバが各国の言語に変換して撮影者に送信する。
【００２９】
【発明の効果】本発明により世界から欲しい画像を瞬時にネットワークを介して取得出来るので利便性が高い。
【００３０】
【図面の簡単な説明】
【図１】本発明実施形態のシステム構成を示すブロック図である。
【図２】本発明実施形態の表示例を示す説明図である。
【図３】本発明実施形態の表示例を示す説明図である。
【図４】本発明実施形態の表示例を示す説明図である。
【図５】クライアント１側とクライアント５側とサーバ３側の処理手順を示すフローチャートである。
【符号の説明】
１クライアントＡ。２通信ネットワーク。３サーバ。４記憶装置。５クライアントＢ。
【図１】
2004054877.tif 000003
【図２】
2004054877.tif 000004
【図３】
2004054877.tif 000005
【図４】
2004054877.tif 000006
【図５】
2004054877.tif 000007